(57)【要約】【課題】協調していない隣接セル間の干渉を低減することができる通信システム、基地局装置、移動局装置および通信方法を提供する。【解決手段】本発明の通信システムは、基地局装置と移動局装置から構成される通信システムであって、前記基地局装置は、上りリンク復調参照信号のリソース配置を集中配置か分散配置の切り替えを指示するリソース配置情報と、移動局装置固有の上りリンク復調参照信号の分散配置の周波数オフセットと、を含む下りリンク制御情報フォーマットを前記移動局装置へ通知し、前記移動局装置は、前記下りリンク制御情報フォーマットに含まれる情報に従って、前記リソース配置情報に分散配置が指示されている場合には、前記移動局装置の周波数オフセットに基づいて、上りリンク復調参照信号のリソース配置を決定し、前記上りリンク復調参照信号を前記基地局装置へ送信する。【選択図】図６
2018088712.tif 000002
【特許請求の範囲】
【請求項１】
基地局装置と通信を行う移動局装置であって、
物理上りリンク共用チャネルに対する復調参照信号における系列グループホッピングに用いられる擬似乱数系列を生成し、
上りリンクに対する各無線フレームの初めに、初期値ｃｉｎｉｔを用いて初期化される擬似乱数系列生成器を備え、
前記初期値ｃｉｎｉｔは、物理層セル識別子に基づいて決定され、
前記基地局装置から通知され、時間同期を行うために用いられる第１の同期信号およびセル同期ならびにフレームタイミング同期を行うために用いられる第２の同期信号に基づいて前記物理層セル識別子が推定される
ことを特徴とする移動局装置。
【請求項２】
基地局装置と通信を行う移動局装置であって、
物理上りリンク制御チャネルに対する復調参照信号における系列グループホッピングに用いられる擬似乱数系列を生成し、
上りリンクに対する各無線フレームの初めに、初期値ｃｉｎｉｔを用いて初期化される擬似乱数系列生成器を備え、
前記初期値ｃｉｎｉｔは、物理層セル識別子に基づいて決定され、
前記基地局装置から通知され、時間同期を行うために用いられる第１の同期信号およびセル同期ならびにフレームタイミング同期を行うために用いられる第２の同期信号に基づいて前記物理層セル識別子が推定される
ことを特徴とする移動局装置。
【請求項３】
前記擬似乱数系列は、物理上りリンク制御チャネルに対する前記復調参照信号におけるサイクリックシフトに用いられる
ことを特徴とする請求項１または請求項２に記載の移動局装置。
【請求項４】
前記擬似乱数系列は、前記復調参照信号における系列ホッピングに用いられる
ことを特徴とする請求項１から請求項３のいずれか一項に記載の移動局装置。
【請求項５】
基地局装置と通信を行う移動局装置の方法であって、
物理上りリンク共用チャネルに対する復調参照信号における系列グループホッピングに用いられる擬似乱数系列を生成する擬似乱数系列生成ステップと、
上りリンクに対する各無線フレームの初めに、前記擬似乱数系列生成ステップを、初期値ｃｉｎｉｔを用いて初期化する初期化ステップを少なくとも含み、
前記初期値ｃｉｎｉｔは、物理層セル識別子に基づいて決定され、
前記基地局装置から通知され、時間同期を行うために用いられる第１の同期信号およびセル同期ならびにフレームタイミング同期を行うために用いられる第２の同期信号に基づいて前記物理層セル識別子が推定される
ことを特徴とする方法。
【請求項６】
基地局装置と通信を行う移動局装置の方法であって、
物理上りリンク制御チャネルに対する復調参照信号における系列グループホッピングに用いられる擬似乱数系列を生成する擬似乱数系列生成ステップと、
上りリンクに対する各無線フレームの初めに、前記擬似乱数系列生成ステップを、初期値ｃｉｎｉｔを用いて初期化する初期化ステップを少なくとも含み、
前記初期値ｃｉｎｉｔは、物理層セル識別子に基づいて決定され、
前記基地局装置から通知され、時間同期を行うために用いられる第１の同期信号およびセル同期ならびにフレームタイミング同期を行うために用いられる第２の同期信号に基づいて前記物理層セル識別子が推定される
ことを特徴とする方法。
【請求項７】
基地局装置と通信を行う移動局装置に搭載される集積回路であって、
物理上りリンク共用チャネルに対する復調参照信号における系列グループホッピングに用いられる擬似乱数系列を生成する擬似乱数系列生成機能と、
上りリンクに対する各無線フレームの初めに、前記擬似乱数系列生成機能を、初期値ｃｉｎｉｔを用いて初期化する初期化機能を少なくとも含み、
前記初期値ｃｉｎｉｔは、物理層セル識別子に基づいて決定され、
前記基地局装置から通知され、時間同期を行うために用いられる第１の同期信号およびセル同期ならびにフレームタイミング同期を行うために用いられる第２の同期信号に基づいて前記物理層セル識別子が推定される
ことを特徴とする集積回路。
【請求項８】
基地局装置と通信を行う移動局装置に搭載される集積回路であって、
物理上りリンク制御チャネルに対する復調参照信号における系列グループホッピングに用いられる擬似乱数系列を生成する擬似乱数系列生成機能と、
上りリンクに対する各無線フレームの初めに、前記擬似乱数系列生成機能を、初期値ｃｉｎｉｔを用いて初期化する初期化機能を少なくとも含み、
前記初期値ｃｉｎｉｔは、物理層セル識別子に基づいて決定され、
前記基地局装置から通知され、時間同期を行うために用いられる第１の同期信号およびセル同期ならびにフレームタイミング同期を行うために用いられる第２の同期信号に基づいて前記物理層セル識別子が推定される
ことを特徴とする集積回路。
【発明の詳細な説明】
【技術分野】
【０００１】
本発明は、基地局装置、移動局装置、通信システムおよび通信方法に関する。
【背景技術】
【０００２】
３ＧＰＰ（3rd Generation Partnership Project）は、Ｗ−ＣＤＭＡ（Wideband-Code 
Division Multiple Access）と、ＧＳＭ（Global System for Mobile Communications）
（登録商標）とを発展させたネットワークを基本した移動通信システムの仕様の検討・作成を行なうプロジェクトである。３ＧＰＰでは、第３世代無線アクセス技術の進化（以下、「ＬＴＥ（Long Term Evolution）」または「ＥＵＴＲＡ（Evolved Universal Terrestrial Radio Access）」とも呼称する）、および、より広帯域な周波数帯域を利用して、さらに高速なデータの送受信を実現する移動通信システム（以下、「ＬＴＥ−Ａ（Long Term Evolution-Advanced）」または「Ａｄｖａｎｃｅｄ−ＥＵＴＲＡ」とも呼称する）に関する検討が進められている。
【０００３】
ＬＴＥにおける通信方式として、下りリンクでは、互いに直交するサブキャリアを用いてユーザ多重化を行なうＯＦＤＭＡ（Orthogonal Frequency Division Multiple Access）方式、および、上りリンクでは、ＳＣ−ＦＤＭＡ（Single Carrier-Frequency Division Multiple Access）方式が検討されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multiple Access、DFT-s-OFDM with Spectrum Division Control、DFT-precoded OFDMとも呼称される）方式を導入することが検討されている。
【０００５】
無線通信システムにおいて、基地局装置がカバーするエリアをセル状に複数配置するセルラー構成とすることにより、通信エリアを拡大することができる。また、隣接するセル（セクタ）間で異なる周波数を適用することでセルエッジ（セル端）領域にいる移動局装置でも干渉を受けることなく通信を行うことができるが、周波数利用効率に対して課題があった。そこで、ＬＴＥでは、それぞれのセル（セクタ）において同一周波数を繰り返し利用することで、周波数利用効率を大幅に向上させることができるようになったが、セルエッジ領域の移動局装置は、隣接セルからの干渉の影響を受けやすくなり、通信品質が劣化するため、セルエッジ領域にいる移動局装置に対する干渉の低減または抑圧が必要となった。
【０００６】
そこで、ＬＴＥ−Ａでは、セルエッジ領域の移動局装置に対する干渉を軽減または抑圧する方法として隣接セル間（隣接送受信ポイント間）で互いに協調し、干渉コーディネーションを行う協調マルチポイント通信（CoMP: Coordinated Multi-Point Transmission / Reception）が検討されている。ここで、ポイントとは、信号の送信点（送信局装置）および受信点（受信局装置）を表している。例えば、ポイントは、基地局装置であっても良い。また、ポイントは、移動局装置であっても良い。また、ポイントは、中継局装置であっても良い。また、ポイントは、張り出しアンテナであるＲＲＨ（Remote Radio Head）であっても良い。
【０００７】
協調通信を行う場合には、ＬＴＥの上りリンク復調参照信号（DMRS: Demodulation Reference Signal）の直交リソースだけではセル（送受信ポイント）間の直交性を確保するには不十分であった。そこで、ＤＭＲＳの周波数リソース配置を周波数スペクトルの集中配置から分散配置（例えば、サウンディング参照信号（SRS: Sounding Reference Signal）のような２サブキャリア間隔の櫛形スペクトル配置）にすることで、ＤＭＲＳの直交リソースを増やすことが検討されている（非特許文献１）。
【０００８】
さらに、協調通信を行う場合には、複数のポイントで異なるセルＩＤ（物理層セル識別子）が設定された場合のシナリオや共通のセルＩＤが設定された場合のシナリオが提案されている（非特許文献２）。
【先行技術文献】
【非特許文献】
【０００９】
【非特許文献１】”UL-CoMP Rel-11 Proposed Enhancements”, 3GPP TSG RAN WG1 Meeting #65, R1-111477, May 9-13, 2011.
【非特許文献２】”On Simulations Assumptions for Phase 2 CoMP Evaluations,” 3GPP TSG RAN WG1 Meeting #64, R1-110650, Feb 21-25, 2011.
【発明の概要】
【発明が解決しようとする課題】
【００１０】
しかしながら、協調していない隣接セル（ポイント）間では、干渉コーディネーションを行えないため、協調していない隣接セル（ポイント）間の干渉を回避することができないという問題があった。
【００１１】
本発明は、このような事情に鑑みてなされたものであり、協調していない隣接セル間の干渉を低減することができる通信システム、基地局装置、移動局装置および通信方法を提供する。
【課題を解決するための手段】
【００１２】
（１）上記の目的を達成するために、本発明は、以下のような手段を講じた。すなわち、本発明の通信システムは、基地局装置と移動局装置から構成される通信システムであって前記基地局装置は、上りリンク復調参照信号のリソース配置を集中配置か分散配置の切り替えを指示するリソース配置情報と、移動局装置固有の上りリンク復調参照信号の分散配置の周波数オフセットと、を含む下りリンク制御情報フォーマットを前記移動局装置へ通知し、前記移動局装置は、前記下りリンク制御情報フォーマットに含まれる情報に従って、前記リソース配置情報に分散配置が指示されている場合には、前記移動局装置の周波数オフセットに基づいて、上りリンク復調参照信号のリソース配置を決定し、前記上りリンク復調参照信号を前記基地局装置へ送信することを特徴とする。
【００１３】
（２）また、本発明の通信システムは、（１）の通信システムであって、前記基地局装置は、前記下りリンク制御情報フォーマットに上りリンク復調参照信号の分散配置の周波数オフセットホッピングの可否を指示する情報を含んで前記移動局装置へ通知し、前記移動局装置は、前記下りリンク制御情報フォーマットに含まれる情報に従って、前記リソース配置情報に分散配置が指示され、尚且つ前記分散配置の周波数オフセットホッピングが可能であると指示されていた場合には、スロット番号に応じて決定するセル固有の周波数オフセットホッピングパターンと前記移動局装置固有の周波数オフセットによって上りリンク復調参照信号のリソース配置を決定することを特徴とする。
【００１４】
（３）また、本発明の通信システムは、（２）の通信システムであって、前記セル固有の周波数オフセットホッピングパターンは、スロット番号に対応した擬似乱数に基づいて決定することを特徴とする。
【００１５】
（４）また、本発明の通信システムは、（３）の通信システムであって、前記擬似乱数の初期値は、物理層セル識別子により決定することを特徴とする。
【００１６】
（５）また、本発明の通信システムは、（３）の通信システムであって、前記擬似乱数の初期値は、仮想セル識別子により決定することを特徴とすることを特徴とする。
【００１７】
（６）また、本発明の通信システムは、基地局装置と移動局装置から構成される通信システムであって、前記基地局装置は、上りリンク復調参照信号のリソース配置情報と、移動局装置固有の上りリンク復調参照信号の周波数オフセットと、セル固有の上りリンク復調参照信号の周波数オフセットシフトパターンと、を含む下りリンク制御情報フォーマットを前記移動局装置へ通知し、前記移動局装置は、前記下りリンク制御情報フォーマットに含まれる情報に従って、前記リソース配置情報に分散配置が指示されている場合には、移動局装置固有の周波数オフセットとセル固有の周波数オフセットシフトパターンとスロット番号を用いて上りリンク復調参照信号のリソース配置を決定し、前記上りリンク復調参照信号を前記基地局装置へ送信することを特徴とする。
【００１８】
（７）また、本発明の通信システムは、（６）の通信システムであって、前記セル固有の周波数オフセットシフトパターンは、物理層セル識別子に基づいて決定することを特徴とする。
【００１９】
（８）また、本発明の通信システムは、(６）の通信システムであって、前記セル固有の周波数オフセットシフトパターンは、仮想セル識別子に基づいて決定することを特徴とする。
【００２０】
（９）また、本発明の基地局装置は、移動局装置と通信を行なう基地局装置であって、上りリンク復調参照信号のリソース配置を集中配置か分散配置の切り替えを指示するリソース配置情報と、移動局装置固有の上りリンク復調参照信号の分散配置の周波数オフセットと、を含む下りリンク制御情報フォーマットを前記移動局装置へ通知する手段と、前記リソース配置情報によって指示したリソース配置の上りリンク復調参照信号を受信する手段と、を備えることを特徴とする。
【００２１】
（１０）また、本発明の基地局装置は、（９）の基地局装置であって、前記下りリンク制御情報フォーマットは、上りリンク復調参照信号の分散配置の周波数オフセットホッピングの可否を指示する情報を含んで前記移動局装置へ通知される手段を、備えることを特徴とする。
【００２２】
（１１）また、本発明の基地局装置は、移動局装置と通信を行なう基地局装置であって、上りリンク復調参照信号のリソース配置情報と、移動局装置固有の上りリンク復調参照信号の周波数オフセットと、セル固有の上りリンク復調参照信号の周波数オフセットシフトパターンと、を含む下りリンク制御情報フォーマットを前記移動局装置へ通知する手段を備えることを特徴とする。
【００２３】
（１２）また、本発明の移動局装置は、基地局装置と通信を行なう移動局装置であって、下りリンク制御情報フォーマットを受信する手段と、下りリンク制御情報フォーマットに含まれる情報に従って、上りリンク復調参照信号のリソース配置情報に分散配置が指示されている場合には、移動局装置固有の周波数オフセットに基づいて、上りリンク復調参照信号のリソース配置を決定する手段と、前記上りリンク復調参照信号を前記基地局装置へ送信する手段と、を備えることを特徴とする。
【００２４】
（１３）また、本発明の移動局装置は、（１２）の移動局装置であって、前記下りリンク制御情報フォーマットに含まれる上りリンク復調参照信号の分散配置の周波数オフセットホッピングの可否を指示する情報に、周波数オフセットホッピングが可能であると指示された場合には、スロット番号に応じて決定するセル固有の周波数オフセットホッピングパターンと前記移動局装置固有の周波数オフセットによって上りリンク復調参照信号のリソース配置を決定する手段を備えることを特徴とする。
【００２５】
（１４）また、本発明の移動局装置は、基地局装置と通信を行なう移動局装置であって、下りリンク制御情報フォーマットを受信する手段と、下りリンク制御情報フォーマットに含まれる情報に従って、リソース配置情報に分散配置が指示されている場合には、移動局装置固有の周波数オフセットとセル固有の周波数オフセットシフトパターンとスロット番号を用いて上りリンク復調参照信号のリソース配置を決定する手段と、を備えることを特徴とする。
【００２６】
（１５）また、本発明の通信方法は、基地局装置と移動局装置から構成される通信システムの通信方法であって、前記基地局装置は、上りリンク復調参照信号のリソース配置を集中配置か分散配置の切り替えを指示するリソース配置情報と、移動局装置固有の上りリンク復調参照信号の分散配置の周波数オフセットと、を含む下りリンク制御情報フォーマットを前記移動局装置へ通知するステップと、前記移動局装置は、前記下りリンク制御情報フォーマットに含まれる情報に従って、前記リソース配置情報に分散配置が指示されている場合には、前記移動局装置の周波数オフセットに基づいて、上りリンク復調参照信号のリソース配置を決定するステップと、前記上りリンク復調参照信号を前記基地局装置へ送信するステップと、を少なくとも有することを特徴とする。
【００２７】
（１６）また、本発明の通信方法は、（１５）の通信方法であって、前記基地局装置は、前記下りリンク制御情報フォーマットに上りリンク復調参照信号の分散配置の周波数オフセットホッピングの可否を指示する情報を含んで前記移動局装置へ通知するステップと、前記移動局装置は、前記下りリンク制御情報フォーマットに含まれる情報に従って、前記リソース配置情報に分散配置が指示され、尚且つ前記分散配置の周波数オフセットホッピングが可能であると指示されていた場合には、スロット番号に応じて決定するセル固有の周波数オフセットホッピングパターンと前記移動局装置固有の周波数オフセットによって上りリンク復調参照信号のリソース配置を決定するステップと、を少なくとも有することを特徴とする。
【００２８】
（１７）また、本発明の通信方法は、基地局装置と移動局装置から構成される通信システムの通信方法であって、前記基地局装置は、上りリンク復調参照信号のリソース配置情報と、移動局装置固有の上りリンク復調参照信号の周波数オフセットと、セル固有の上りリンク復調参照信号の周波数オフセットシフトパターンと、を含む下りリンク制御情報フォーマットを前記移動局装置へ通知するステップと、前記移動局装置は、前記下りリンク制御情報フォーマットに含まれる情報に従って、前記リソース配置情報に分散配置が指示されている場合には、移動局装置固有の周波数オフセットとセル固有の周波数オフセットシフトパターンとスロット番号を用いて上りリンク復調参照信号のリソース配置を決定するステップと、前記上りリンク復調参照信号を前記基地局装置へ送信するするステップと、を少なくとも有することを特徴とする。
【００２９】
これらによって、協調していない隣接セル（ポイント）間の干渉を低減することができる。
【発明の効果】
【００３０】
本発明によれば、隣接セル間の干渉を低減することができる。
【図面の簡単な説明】
【００３１】
【図１】本発明の実施形態におけるチャネルの一構成例を示す図である。
【図２】本発明の実施形態に係る基地局装置１００の概略構成を示すブロック図である。
【図３】本発明の実施形態に係る移動局装置２００の概略構成を示すブロック図である。
【図４】本発明の第１の実施形態に係るＤＭＲＳのリソース配置の一構成例を示す図である。
【図５】本発明の第１の実施形態に係るＤＭＲＳのリソース配置が分散配置である場合の一例を示す図である。
【図６】本発明の第１の実施形態に係る移動局装置２００のスケジューリング部２０４の概略構成を示すブロック図である。
【図７】ＤＣＩフォーマットに含まれる制御情報フィールドの一構成例を示す図である。
【図８】本発明の第１の実施形態に係るＤＭＲＳの周波数オフセットホッピングの一例を示す図である。
【発明を実施するための形態】
【００３２】
次に、本発明に係る実施形態について、図面を参照しながら説明する。
図１は、本発明の実施形態におけるチャネルの一構成例を示す図である。下りリンクの物理チャネルは、物理下りリンク制御チャネル（ＰＤＣＣＨ：Physical Downlink Control Channel）、物理下りリンク共用チャネル（ＰＤＳＣＨ：Physical Downlink Shared Channel）である。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）である。
【００３３】
また、基地局装置は、下りリンク参照信号（ＤＲＳ:Downlink Reference Signal、下りリンクパイロット信号、下りリンクパイロットチャネルとも呼称する）を、移動局装置へ送信する。また、移動局装置は、上りリンク参照信号（ＵＲＳ:Uplink Reference Signal、上りリンクパイロット信号、上りリンクパイロットチャネルとも呼称する）を基地局装置へ送信する。ここで、上りリンク参照信号には、基地局装置が、主に、ＰＵＣＣＨおよび／またはＰＵＳＣＨを復調するために使用する復調参照信号（ＤＭＲＳ：Demodulation Reference Signal）が含まれる。また、上りリンク参照信号には、基地局装置が、主に、上りリンクのチャネル状態を推定するために使用するサウンディング参照信号（ＳＲＳ：Sounding Reference Signal）が含まれる。
【００３４】
ＰＤＣＣＨは、ＰＤＳＣＨのリソース割り当て、下りリンクデータに対するＨＡＲＱ処理情報、および、ＰＵＳＣＨのリソース割り当てなどの下りリンク制御情報（ＤＣＩ：Downlink Control Information）を、移動局装置に通知（指定）するために使用されるチャネルである。ＰＤＤＣＨは、複数の制御チャネル要素（ＣＣＥ：Control Channel Element）から構成される。移動局装置は、ＣＣＥから構成されるＰＤＣＣＨを検出することによって、基地局装置からのＰＤＣＣＨを受信する。このＣＣＥは、基地局装置によって、周波数、時間領域において分散している複数のリソースエレメントグループ（ＲＥＧ：Resource Element Group、mini-CCEとも呼ばれる）にマップ(配置)される。ここで、リソースエレメントとは、１ＯＦＤＭシンボル（時間成分）、１サブキャリア（周波数成分）で構成される単位リソースである。
【００３５】
また、ＰＤＣＣＨによって送信される下りリンク制御情報には、複数のフォーマットが定義される。以下、下りリンク制御情報のフォーマットを、ＤＣＩフォーマット（DCI format）とも呼称する。
【００３６】
例えば、下りリンクに対するＤＣＩフォーマットとしては、基地局装置が、ＰＤＳＣＨを１つの送信アンテナポート、または、複数の送信アンテナポートを使用して送信ダイバーシチ方式で送信する際に用いられるＤＣＩフォーマット１／１Ａが定義される。また、例えば、下りリンクに対するＤＣＩフォーマットとしては、基地局装置が、ＰＤＳＣＨを、ＭＩＭＯ（Multiple Input Multiple Output）を利用した空間多重（ＳＭ：Spatial Multiplexing）で送信する際に用いられるＤＣＩフォーマット２が定義される。ここで、ＤＣＩフォーマットは、同じビット数を持った複数のＤＣＩフォーマット、異なるビット数を持った複数のＤＣＩフォーマットを定義することができる。
【００３７】
また、例えば、上りリンクに対するＤＣＩフォーマットとしては、移動局装置が、ＰＵＳＣＨを１つの送信ポートで送信する際に用いられるＤＣＩフォーマット０が定義される。また、例えば、上りリンクスケジューリングに対するＤＣＩフォーマットとしては、移動局装置が、ＰＵＳＣＨを、ＭＩＭＯを利用したＳＭで送信する際に用いられるＤＣＩフォーマット４が用意される。
【００３８】
基地局装置は、ＤＣＩを基に生成した巡回冗長検査（ＣＲＣ：Cyclic Redundancy Check）符号を、ＲＮＴＩ（Radio Network Temporary Identifier）でスクランブル（scramble）した系列をＤＣＩに付与して、移動局装置へ送信する。移動局装置は、巡回冗長検査符号がいずれのＲＮＴＩでスクランブルされているかに応じて、ＤＣＩの解釈を変更する。例えば、移動局装置は、ＤＣＩが、基地局装置から割り当てられたＣ−ＲＮＴＩ（Cell-Radio Network Temporary Identifier）によって巡回冗長検査符号がスクランブルされていた場合には、そのＤＣＩを、自装置宛のＤＣＩだと判断する。
【００３９】
ＰＤＣＣＨは、ＤＣＩフォーマットごとに別々に符号化（Separate Coding）される。
すなわち、移動局装置は、複数のＰＤＣＣＨを検出して、下りリンクのリソース割り当てや、上りリンクのリソース割り当てや、その他の制御情報を取得する。各ＰＤＣＣＨには、そのフォーマットを識別可能なＣＲＣ（巡回冗長検査）の値が付与されており、移動局装置は、ＰＤＣＣＨが構成される可能性のあるＣＣＥのセットのそれぞれに対してＣＲＣを行い、ＣＲＣが成功したＰＤＣＣＨを、自装置宛のＰＤＣＣＨとして取得する。これは、ブラインドデコーディング（blind decoding）とも呼称され、移動局装置が、ブラインドデコーディングを行うＰＤＣＣＨが構成される可能性のあるＣＣＥのセットの範囲は、検索領域（Search Space）と呼称される。すなわち、移動局装置は、検索領域内のＣＣＥに対して、ブラインドデコーディングを行い、自装置宛のＰＤＣＣＨの検出を行う。
【００４０】
移動局装置は、自装置宛のＰＤＣＣＨに、ＰＤＳＣＨのリソース割り当てが含まれる場合、基地局装置からのＰＤＣＣＨによって指示されたリソース割り当てに応じて、ＰＤＳＣＨを使用して、下りリンク信号（下りリンクデータ（下りリンク共用チャネル（ＤＬ−ＳＣＨ）に対するトランスポートブロック）および下りリンク制御データ（下りリンク制御情報）および下りリンク参照信号（ＤＲＳ））のうち少なくとも１つを受信する。すなわち、このＰＤＳＣＨのリソース割り当てが含まれるＰＤＣＣＨは、下りリンクに対するリソース割り当てを行なう信号（以下、「下りリンク送信許可信号」、「下りリンクグラント」とも呼称する）とも言える。
【００４１】
また、移動局装置は、自装置宛のＰＤＣＣＨに、ＰＵＳＣＨのリソース割り当てが含まれる場合、基地局装置からのＰＤＣＣＨによって指示されたリソース割り当てに応じて、ＰＵＳＣＨを使用して、上りリンク信号（上りリンクデータ（上りリンク共用チャネル（ＵＬ−ＳＣＨ）に対するトランスポートブロック）および上りリンク制御データ（上りリンク制御情報）および上りリンク参照信号（ＵＲＳ））のうち少なくとも１つを送信する。すなわち、このＰＤＣＣＨは、上りリンクに対するデータ送信を許可する信号（以下、「上りリンク送信許可信号」、「上りリンクグラント」とも呼称する）とも言える。
【００４２】
ＰＤＳＣＨは、下りリンクデータ（下りリンク共用チャネル（ＤＬ−ＳＣＨ）に対するトランスポートブロック）またはページング情報（ページングチャネル（ＰＣＨ）に対するトランスポートブロック）を送信するために使用される物理チャネルである。基地局装置は、ＰＤＣＣＨによって割り当てたＰＤＳＣＨを使用して、下りリンクデータ（下りリンク共用チャネル（ＤＬ−ＳＣＨ）に対するトランスポートブロック）を移動局装置へ送信する。
【００４３】
ここで、下りリンクデータとは、例えば、ユーザーデータを示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００４４】
ＰＵＳＣＨは、主に、上りリンクデータ（上りリンク共用チャネル（ＵＬ−ＳＣＨ）に対するトランスポートブロック）を送信するために使用される物理チャネルである。移動局装置は、基地局装置から送信されたＰＤＣＣＨによって割り当てられたＰＵＳＣＨを使用して、上りリンクデータ（上りリンク共用チャネル（ＵＬ−ＳＣＨ）に対するトランスポートブロック）を基地局装置へ送信する。また、基地局装置が、移動局装置に対してＰＵＳＣＨスケジューリングした場合には、上りリンク制御情報（ＵＣＩ：Uplink Control Information）もＰＵＳＣＨを使用して送信される。
【００４５】
ここで、上りリンクデータとは、例えば、ユーザーデータを示しており、ＵＬ−ＳＣＨは、トランスポートチャネルである。また、ＰＵＳＣＨは、時間領域、周波数領域によって定義される（構成される）物理チャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００４６】
ここで、上りリンクデータ（ＵＬ−ＳＣＨ）および下りリンクデータ（ＤＬ−ＳＣＨ）には、基地局装置と移動局装置の間でやり取りされる上位層からの信号の１つである無線リソース制御信号（以下、「ＲＲＣシグナリング：Radio Resource Control Signaling」と呼称する）が含まれていても良い。また、上りリンクデータ（ＵＬ−ＳＣＨ）および下りリンクデータ（ＤＬ−ＳＣＨ）には、基地局装置と移動局装置の間でやり取りされるＭＡＣ（Medium Access Control）コントロールエレメントが含まれていても良い。
【００４７】
基地局装置と移動局装置は、ＲＲＣシグナリングを上位層（無線リソース制御（Radio Resource Control）層）において送受信する。また、基地局装置と移動局装置は、ＭＡＣコントロールエレメントを上位層（媒体アクセス制御（ＭＡＣ：Medium Access Control
）層）において送受信する。
【００４８】
ＰＵＣＣＨは、上りリンク制御情報（ＵＣＩ）を送信するために使用されるチャネルである。ここで、上りリンク制御情報には、チャネル状態情報（ＣＳＩ）や、チャネル品質指標（ＣＱＩ）や、プレコーディングマトリックス指標（ＰＭＩ）や、ランク指標（ＲＩ）が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置が上りリンクデータを送信するためのリソースの割り当てを要求する（ＵＬ−ＳＣＨでの送信を要求する）スケジューリング要求が含まれる。
【００４９】
移動局装置は、初期アクセス時には、時間同期を行うために用いられる第１の同期信号（PSS: Primary Synchronization Signal）とセル同期およびフレームタイミング同期を行うために用いられる第２の同期信号（SSS: Secondary Synchronization Signal）から得られる物理層セル識別子グループ（Physical-layer identity group）と物理層識別子（Physical-layer identity）を用いて、物理層セル識別子（PCI: Physical-layer Cell Identity）を推定することができる。また、基地局装置と移動局装置の接続が確立されている場合には、基地局装置から移動局装置へＲＲＣシグナリングを用いて通知されても良い。
【００５０】
ＬＴＥ／ＬＴＥ−Ａでは、セル内／セル間の干渉を低減するために各物理チャネルに信号系列が割り当てられている。異なるセルの移動局装置間で信号系列が常に（スロット間で）同じになった場合、各セルの基地局装置は、隣接セルに属した移動局装置からの送信信号が干渉となる。そこで、異なるセルに属する（セル間で異なる物理層セル識別子が設定された）移動局装置間で信号系列がスロット間で連続して同じなることを回避するために、スロット間で異なる信号系列になるように系列グループホッピング（SGH: Sequence Group Hopping）と系列ホッピング（SH: Sequence Hopping）が適用され、セル間での干渉をランダム化している。信号系列生成器の初期値を物理層セル識別子に基づいて設定することでセル間での干渉をランダム化している。
【００５１】
さらに、スロット間で異なるサイクリックシフトが適用されるサイクリックシフトホッピングを適用することで、セル間の干渉をランダム化することができる。
【００５２】
ＤＭＲＳは、直交カバー符号（OCC: Orthogonal Cover Code）を用いて参照信号系列を生成する。本発明では、直交カバー符号［ｗ（λ）（０），ｗ（λ）（１）］は、［＋１，＋１］と［＋１，−１］の２つを用いる。移動局装置は、１サブフレームに割り当てられるＰＵＳＣＨに対する２つのＤＭＲＳシンボルに直交カバー符号を用いて拡散処理を行い、上りリンク参照信号系列を生成する。異なる移動局装置から同じ周波数領域において、ＰＵＳＣＨおよびＰＵＳＣＨに対するＤＭＲＳのリソースが送信された場合、基地局装置は、受信したＤＭＲＳシンボルから直交カバー符号の逆拡散処理を行うことで、異なる移動局装置から送信されたＤＭＲＳのチャネル推定を行うことができる。直交カバー符号による拡散処理は、異なる系列長（異なる帯域幅）のＤＭＲＳが重複した場合に、ＰＵＳＣＨに対する２つのＤＭＲＳシンボルに直交カバー符号による逆拡散処理を行うことで、異なる移動局装置から送信された複数のＤＭＲＳを分離することができる。すなわち、系列長が異なるＤＭＲＳが同じタイミング・同じ送信周波数帯に多重されたとしても直交性を確保することができる。ここで、λは、送信ポートを示している。
【００５３】
また、ＤＭＲＳやＰＵＣＣＨは、擬似乱数を用いてサイクリックシフト（各サブキャリアに乗算される位相回転量）をスロット毎・シンボル毎に決定している。サイクリックシフト量をランダムに変更することでサイクリックシフト量のランダム化を行う。これにより、異なる移動局装置間で同じサイクリックシフトが連続で設定されないように制御できる（ここでは、サイクリックシフトホッピングと呼称する）。すなわち、サイクリックシフトホッピングは、異なるセルに属する移動局装置間のサイクリックシフトをランダム化することで、異なるセルに属する移動局装置間の干渉を低減することができる。
【００５４】
ＳＲＳでは、櫛形スペクトルの分散配置が導入されている。これにより、異なる送信帯域幅（異なる系列長）が設定された移動局装置に対して同じ送信周波数帯のチャネル推定を行うことができる。すなわち、基地局装置は、移動局装置に対して符号多重による同一帯域幅、同一時間による多重だけでなく、異なる周波数オフセットを用いた周波数多重を行うことができる。
【００５５】
［基地局装置の構成］
図２は、本発明の実施形態に係る基地局装置１００の概略構成を示すブロック図である。
基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００５６】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５７】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５８】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。
ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００５９】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００６０】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６１】
スケジューリング部１０４は、下りリンクのスケジューリングでは、移動局装置２００から受信した上りリンク信号（ＣＳＩ、ＣＱＩ、ＰＭＩ、ＲＩや、下りリンクトランスポートブロックに対するＡＣＫ／ＮＡＣＫを示す情報や、スケジューリング要求や、参照信号など）や、各移動局装置の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００６２】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６３】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６４】
チャネル推定部１０５は、上りリンクデータの復調のために、復調参照信号（ＤＲＳ：Demodulation Reference Signal）から上りリンクのチャネル状態を推定し、その推定結
果を受信データ復調部１０６に出力する。また、上りリンクのスケジューリングを行なうために、サウンディング参照信号（ＳＲＳ：Sounding Reference Signal）から上りリン
クのチャネル状態を推定し、その推定結果をスケジューリング部１０４に出力する。
【００６５】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６６】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報や、スケジューリング要求などが含まれている。
【００６７】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６８】
また、上位層１０８は、上位層の信号（例えば、ＲＲＣシグナリング）で通知された各種チャネルの設定情報を管理し、チャネル生成時には、それらの設定情報を下位層の処理部（データ制御部１０１やスケジューリング部１０４など）へ通知する。
【００６９】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００７０】
［移動局装置の構成］
図３は、本発明の実施形態に係る移動局装置２００の概略構成を示すブロック図である。
移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。
また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００７１】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００７２】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００７３】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７４】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７５】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７６】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７７】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７８】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７９】
チャネル推定部２０５は、下りリンクデータの復調のために、復調参照信号から下りリンクのチャネル状態を推定し、その推定結果を受信データ復調部２０６に出力する。また、チャネル推定部２０５は、基地局装置１００に下りリンクのチャネル状態（無線伝搬路状態、ＣＳＩ、ＣＱＩ、ＰＭＩ、ＲＩ）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０４に出力する。
【００８０】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００８１】
データ抽出部２０７は、受信データ復調部２０６から入力されたデータに対して、ＣＲＣチェックを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００８２】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００８３】
また、上位層２０８は、上位層の信号（例えば、ＲＲＣシグナリング）で通知された各種チャネルの設定情報を管理し、チャネル生成時には、それらの設定情報を下位層の処理部（データ制御部２０１やスケジューリング部２０４など）へ通知する。
【００８４】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００８５】
（第１の実施形態）
次に、基地局装置１００と移動局装置２００を用いた通信システムにおける第１の実施形態を説明する。第１の実施形態では、基地局装置１００は、ＤＭＲＳの集中配置または分散配置を指示するリソース配置情報と、移動局装置固有のＤＭＲＳの周波数オフセットと、を含むＤＣＩフォーマットを移動局装置２００へ通知する。移動局装置２００は、ＤＣＩフォーマットに従って、リソース配置情報に分散配置が指示された場合には、移動局装置固有のＤＭＲＳの周波数オフセットを用いてＤＭＲＳのリソース配置を決定する。さらに、ＤＣＩフォーマットは、ＤＭＲＳの周波数オフセットホッピングの可否を示す情報を含んで移動局装置２００へ通知されても良い。移動局装置２００は、ＤＣＩフォーマットに従って、ＤＭＲＳの周波数オフセットホッピングが可能と設定された場合には、スロット番号に応じたセル固有（または基地局装置固有）の周波数オフセットホッピングパターンを決定し、移動局装置固有のＤＭＲＳの周波数オフセットとセル固有の周波数オフセットホッピングパターンからＤＭＲＳのリソース配置を決定し、生成したＤＭＲＳを基地局装置１００へ送信する。なお、ＤＭＲＳの周波数オフセットホッピングの可否を示す情報は、ＲＲＣシグナリングで通知されても良い。
【００８６】
ここで、セル固有の周波数オフセットホッピングパターンｎｃｅｌｌｈｏｐは、スロット番号ｎｓに基づく擬似乱数を用いて決定することができる。例えば、移動局装置は、数式（１）を用いて、セル固有の周波数オフセットホッピングパターンｎｃｅｌｌｈｏｐを決定できる。
【００８７】
【数１】
2018088712.tif 000003
【００８８】
ここで、ｃ（ｉ）は、擬似乱数系列（Pseudo-random sequence）を表している。擬似乱数系列は、３１系列長のゴールド系列によって定義されている。ここで、系列長ＭＰＮの出力系列ｃ（ｎ）（ｎ＝０，１，・・・，ＭＰＮ−１）は、数式（１Ａ）で定義される。
【００８９】
【数１Ａ】
2018088712.tif 000004
【００９０】
ここで、Ｎｃ＝１６００である。また、第１のｍ系列ｘ１は、ｘ１（０）＝１，ｘ１（ｎ）＝０（ｎ＝１，２，・・・，３０）で初期化される。
さらに、第２のｍ系列ｘ２（ｎ）（ｎ＝０，１，２，・・・，３０）の初期値は、数式（１Ｂ）で定義される。
【００９１】
【数１Ｂ】
2018088712.tif 000005
【００９２】
各物理チャネルの信号系列で定義されている擬似乱数系列生成器の初期値ｃｉｎｉｔが決定されることで、ｘ２の初期値も決定される。
移動局装置は、数式（１Ｃ）を用いて、ｎの値が３１以上のｘ１とｘ２の値を決定する。
【００９３】
【数１Ｃ】
2018088712.tif 000006
【００９４】
また、この際、擬似乱数系列を生成するために使用される擬似乱数系列生成器の初期値ｃｉｎｉｔは、物理層セル識別子ＮｃｅｌｌＩＤを用いて決定できる。例えば、移動局装置は、数式（２）を用いて、擬似乱数系列生成器の初期値ｃｉｎｉｔを決定できる。
【００９５】
【数２】
2018088712.tif 000007
【００９６】
なお、擬似乱数系列生成器の初期値ｃｉｎｉｔは、仮想セル識別子（Virtual cell identity）で決定されても良い。また、擬似乱数系列生成器の初期値ｃｉｎｉｔは、協調セル間で共通の識別子であっても良い。また、共通の識別子は、物理層セル識別子とは異なる識別子であっても良い。また、これらの識別子は、システムで一意に決定されても良い。
また、これらの識別子は、報知情報を用いてセル全体に通知されても良い。また、これらの識別子は、基地局装置から移動局装置へ個別に通知されても良い。
【００９７】
さらに、移動局装置は、移動局装置固有の周波数オフセットｎＵＥｏｆｆｓｅｔとセル固有の周波数オフセットホッピングパターンｎｃｅｌｌｈｏｐを用いて、ＤＭＲＳのサブキャリア（リソースエレメント）マッピングの周波数開始位置であるｎＳＣｏｆｆｓｅｔを決定することができる。また、ｎＳＣｏｆｆｓｅｔは、リソースブロックに含まれるＤＭＲＳのサブキャリアの周波数オフセットと言える。例えば、移動局装置は、数式（３）を用いて、サブキャリアの周波数オフセットｎＳＣｏｆｆｓｅｔを決定できる。
【００９８】
【数３】
2018088712.tif 000008
【００９９】
なお、セル固有の周波数オフセットホッピングパターンｎｃｅｌｌｈｏｐは、スロット番号と物理層セル識別子から成る擬似乱数から決定されても良い。例えば、移動局装置は、数式（４）を用いて、セル固有の周波数オフセットホッピングパターンｎｃｅｌｌｈｏｐを決定しても良い。
【０１００】
【数４】
2018088712.tif 000009
【０１０１】
図４は、本発明の第１の実施形態に係るＤＭＲＳのリソース配置の一構成例を示す図である。図４（ａ）は、基地局装置から通知されたＤＭＲＳのリソース配置情報に集中配置が指示された場合のリソース配置図である。これは、従来のＤＭＲＳと同じリソース配置となる。また、図４（ｂ）は、基地局装置から通知されたＤＭＲＳのリソース配置情報に分散配置が指示された場合のリソース配置図である。ここで、分散配置が指示された場合のリソース配置は、ＰＡＰＲを低く抑えるために、サブキャリアは一定の間隔で配置される（この配置を櫛形スペクトル配置と呼称する場合もある）。基地局装置は、移動局装置に対して何サブキャリア間隔でＤＭＲＳを配置するかを示す情報（繰り返しファクタ）を通知することができる。また、ＤＭＲＳのサブキャリア（リソースエレメント）マッピングの周波数開始位置は、数式（３）から算出される周波数オフセットｎＳＣｏｆｆｓｅｔによって決定される。
【０１０２】
図５は、本発明の第１の実施形態に係るＤＭＲＳのリソース配置が分散配置である場合の一例を示す図である。ここで、例えば、１リソースブロックは１２サブキャリア（リソースエレメント）で構成される。移動局装置は、リソース配置が分散配置と設定された場合には、何サブキャリア間隔でＤＭＲＳを配置するかを示す繰り返しファクタｎＤＭＲＳＲＰＦと、どのサブキャリアからリソースを配置するかを示す周波数オフセットｎＳＣｏｆｆｓｅｔによって、ＤＭＲＳが分散配置されるサブキャリアを決定することができる。
なお、繰り返しファクタｎＤＭＲＳＲＰＦは、システムで一意に決定されても良い。また、繰り返しファクタｎＤＭＲＳＲＰＦは、報知情報に含められて、基地局装置から複数の移動局装置に一斉に通知されても良い。また、繰り返しファクタｎＤＭＲＳＲＰＦは、個別に基地局装置から移動局装置へ通知されても良い。すなわち、基地局装置は、繰り返しファクタｎＤＭＲＳＲＰＦを、セル固有に設定することができる。また、基地局装置は、繰り返しファクタｎＤＭＲＳＲＰＦを、移動局装置固有に設定することができる。
【０１０３】
図６は、本発明の第１の実施形態に係る移動局装置２００のスケジューリング部２０４の概略構成を示すブロック図である。上位層２０８からＤＭＲＳのパラメータに関するＤＭＲＳ設定情報を通知されたスケジューリング部２０４は、その設定情報をＤＭＲＳリソース配置設定部へと出力する。ＤＭＲＳリソース配置設定部２０１１は、入力された設定情報を基に、ＤＭＲＳの送信データを生成する。この時、データ抽出部２０７から抽出した制御情報に、ＤＭＲＳの分散配置を指示する情報が含まれている場合には、ＤＭＲＳの周波数オフセット決定部２０１２でＤＭＲＳの分散配置の周波数オフセット値を決定し、その値を基に、ＤＭＲＳリソース配置設定部２０１１は、ＤＭＲＳのリソース配置を決定する。すなわち、ＤＭＲＳリソース配置設定部２０１１は、ＤＭＲＳのサブキャリア（リソースエレメント）マッピングの周波数開始位置を決定する。その送信データをスケジューリング情報の一部として、データ制御部２０１に出力する。
【０１０４】
ここで、リソース配置情報は、１ビットの情報によって示されても良い。すなわち、リソース配置情報は、集中配置と分散配置を指示する１ビットの情報だけによって示されても良い。また、この時、繰り返しファクタは、システムで一意に決定されても良い。また、繰り返しファクタは、報知情報に含められて、基地局装置から複数の移動局装置に一斉に通知されても良い。また、繰り返しファクタは、個別に基地局装置から移動局装置へ通知されても良い。
【０１０５】
また、リソース配置情報は、２ビット以上の情報によって示されても良い。例えば、繰り返しファクタが、２ビットの情報で示される場合には、表１のようにＤＭＲＳ繰り返しファクタインデックス（ＤＭＲＳ  ＲＰＦ  ｉｎｄｅｘ）と繰り返しファクタの値、ｎＤＭＲＳＲＰＦが対応付けられても良い。すなわち、２ビットの情報と４種類の繰り返しファクタの値が対応付けられても良い。また、ＤＭＲＳ繰り返しファクタインデックスが３ビットの情報で示される場合には、３ビットの情報と８種類の繰り返しファクタの値が対応付けられても良い。ここで、ｎＤＭＲＳＲＰＦ＝１の場合、移動局装置は、ＤＭＲＳリソース配置を集中配置に設定する（移動局装置は、分散配置を行わない）。
【０１０６】
【表１】
2018088712.tif 000010
【０１０７】
この時、ＤＭＲＳの送信帯域幅は、集中配置でも分散配置でも同じであるため、ＤＭＲＳの送信に使用するサブキャリア数はサブキャリア間隔が広がれば、その分減少する。そのため、上りリンク参照信号系列長もサブキャリア数に応じて変わる。
【０１０８】
図７は、ＤＣＩフォーマットに含まれる制御情報フィールドの一構成例を示す図である。図７（ａ）は、移動局装置の性能指標であるＵＥ  ｃａｐａｂｉｌｉｔｙにＤＭＲＳのリソース配置に分散配置が含まれていなかった場合のＤＣＩフォーマットＡの構成を示している。例えば、移動局装置は、ＤＭＲＳのリソース配置として分散配置を行えるかどうかを示す情報を、ＲＲＣシグナリングを使用して基地局装置へ通知する。例えば、移動局装置は、分散配置を行えるかどうかを示す情報をＵＥ  ｃａｐａｂｉｌｉｔｙとして、基地局装置へ通知する。
【０１０９】
ここで、例えば、ＤＣＩフォーマットＡは、基地局装置が、ＰＵＳＣＨをスケジューリングする際に使用される。すなわち、ＤＣＩフォーマットＡは、移動局装置が、１つの送信ポートでＰＵＳＣＨを送信する際に使用される。また、ＤＣＩフォーマットＡは、移動局装置が、２つの送信ポート（送信ポート数は２つ以上であっても良い）でＰＵＳＣＨを送信する際に使用される。
【０１１０】
ここで、例えば、ＤＣＩフォーマットＡで送信される情報には、他のＤＣＩフォーマットとの識別に使用される情報（Flag for format differentiation）、ホッピングを伴う送信を指示する情報（Frequency hopping flag）、ＰＵＳＣＨに対するリソース割り当て情報（Resource block assignment）、変調方式や符号化率、再送用のパラメータを示す情報（Modulation and Coding Scheme and redundancy version）、送信データが新データかどうかを識別するための情報（New data indicator）、スケジュールされたＰＵＳＣＨに対するＴＰＣコマンド情報（TPC command for scheduled PUSCH）、復調参照信号に施されるサイクリックシフトと直交カバー符号（OCC: Orthogonal cover code）を示す情報（Cyclic shift for DM RS and OCC index）、ＣＳＩの送信要求情報（CSI request）、パディングビット（Padding bitもしくは0 padding）、ＲＲＣシグナリングから通知されることによって設定されるＳＲＳの送信要求情報（SRS request）が含まれる。
【０１１１】
すなわち、これらの情報（情報ビット）がマップされる情報フィールドが、ＤＣＩフォーマットＡに定義される。すなわち、ＤＣＩフォーマットＡには、上りリンクスケジューリング情報が含まれる。ここで、ＤＣＩフォーマットＡは、ある（特定の）移動局装置に対する上りリンクスケジューリング情報が含まれる。すなわち、ＤＣＩフォーマットＡは、基地局装置によって、移動局装置固有検索領域（ＵＳＳ：UE specific Search Space）または共通探索領域（ＣＳＳ：Common Search Space）に配置される。
【０１１２】
図７（ｂ）は、ＵＥ  ｃａｐａｂｉｌｉｔｙにＤＭＲＳのリソース配置に分散配置が含まれるＤＣＩフォーマットＢの構成を示す。例えば、上述したＤＣＩフォーマットＡに含まれている制御情報に加え、ＤＭＲＳのリソース配置（集中配置／分散配置）を切り替えるリソース配置フラグ（Localized / Distributed resource allocation flag for DMRS）がマップされる情報フィールドが、ＤＣＩフォーマットＢに定義される。また、ＤＭＲＳの移動局装置固有の周波数オフセットである送信コームインデックス（DMRS transmission comb index）（斜線部）がマップされる情報フィールドが、ＤＣＩフォーマットＢに定義される。ここで、上述したＤＣＩフォーマットＡと、リソース配置フラグおよび／または送信コームインデックスがマップされる情報フィールドが新たに定義されたＤＣＩフォーマットＢは、上位層からの通知によって切り替えられる。例えば、移動局装置は、基地局装置から送信された上位層の信号に従って、上述したＤＣＩフォーマットＡをモニタするのか（デコードを試みるのか）、リソース配置フラグおよび／または送信コームインデックスが含まれるＤＣＩフォーマットＢをモニタするのか（デコードを試みるのか）を切り換える。
【０１１３】
さらに、好ましくは、ＤＣＩフォーマットＡに追加される制御情報には、ＤＭＲＳの周波数オフセットホッピングの可否を示す情報（DMRS comb hopping flag）が含まれる（図７（ｃ）ドット部）。図７（ｃ）は、ＤＭＲＳの周波数オフセットホッピングの可否を示す情報（DMRS comb hopping flag）が含まれるＤＣＩフォーマットＣの構成を示す。例えば、上述したＤＣＩフォーマットＢに含まれている制御情報に加え、ＤＭＲＳの周波数オフセットホッピングの可否を示す情報がマップされる情報フィールドが、ＤＣＩフォーマットＣに定義されても良い。同様に、移動局装置は、基地局装置から送信された上位層の信号に従って、上述したＤＣＩフォーマットＡをモニタするのか、リソース配置フラグおよび／または送信コームインデックスおよび／または周波数オフセットホッピングの可否を示す情報が含まれるＤＣＩフォーマットＣをモニタするのか（デコードを試みるのか）を切り換えても良い。
【０１１４】
図８は、本発明の第１の実施形態に係るＤＭＲＳの周波数オフセットホッピングの一例を示す図である。図８（ａ）は、セル＃１の移動局装置１（ＵＥ１  ｏｆ  Ｃｅｌｌ＃１）とセル＃２の移動局装置２（ＵＥ２  ｏｆ  Ｃｅｌｌ＃２）から送信されたＤＭＲＳの無線リソースがスロット間で重複していた場合の一例を示している。この場合、移動局装置１によって送信されるＤＭＲＳと移動局装置２によって送信されるＤＭＲＳは、同じリソースに配置されているために、移動局装置のＤＭＲＳ間で干渉が生じる。従って、セル＃１の基地局装置では、移動局装置１によって送信されたＤＭＲＳでチャネル推定を行なっても、移動局装置１によって送信されたＤＭＲＳは、移動局装置２によって送信されたＤＭＲＳの干渉を受けているために、チャネル推定精度は著しく劣化し、ＤＭＲＳを他の信号の復調処理に用いても通信品質が確保できなくなる。そこで、移動局装置２に対して周波数オフセットのホッピング（Comb hopping）を可能とする（図８（ｂ））と、移動局装置２は、移動局装置１とは、スロット間で異なる周波数オフセットを設定してＤＭＲＳを送信するために、連続して移動局装置１によって送信されるＤＭＲＳの無線リソースと重複することがなくなり、移動局装置のＤＭＲＳ間の干渉を低減することができ、通信品質を確保することができる。
【０１１５】
ここで、移動局装置が複数の送信ポートを用いてＰＵＳＣＨおよびＰＵＳＣＨに対するＤＭＲＳを送信する場合には、移動局装置は複数の送信ポートそれぞれに対して同じサブキャリアにＰＵＳＣＨに対するＤＭＲＳを配置する。すなわち、移動局装置は、複数の送信ポートそれぞれに対して同じ周波数オフセットと同じ繰り返しファクタを設定する。
【０１１６】
なお、移動局装置は、複数の送信ポートを用いてＰＵＳＣＨおよびＰＵＳＣＨに対するＤＭＲＳを送信する場合に、移動局装置は、送信ポート間で異なるサブキャリアにＰＵＳＣＨに対するＤＭＲＳを配置しても良い。すなわち、移動局装置は、送信ポート間で周波数オフセットと繰り返しファクタの異なる組み合わせを設定しても良い。例えば、移動局装置は、送信ポート０と送信ポート１に対してＤＭＲＳを同じ第１のサブキャリアに配置し、送信ポート２と送信ポート３に対してＤＭＲＳを第１のサブキャリアとは異なる第２のサブキャリアに配置しても良い。これにより、移動局装置の複数の送信ポートから送信される複数のＤＭＲＳ間の干渉を低減することができる。
【０１１７】
（第２の実施形態）
次に、基地局装置１００と移動局装置２００を用いた通信システムにおける第２の実施形態を説明する。第２の実施形態に係る機器の概略構成について第１の実施形態と同様であるため、ここでは説明を省略する。第２の実施形態では、基地局装置１００は、ＤＭＲＳのリソース配置情報と、ＤＭＲＳ分散配置における移動局装置固有の周波数オフセットと、ＤＭＲＳ分散配置におけるセル固有の周波数オフセットシフトパターンと、を含むＤＣＩフォーマットを移動局装置２００へ通知する。移動局装置２００は、ＤＣＩフォーマットに含まれる情報に従って、ＤＭＲＳのリソース配置情報に分散配置が指示された場合には、ＤＭＲＳ分散配置における移動局装置固有の周波数オフセットとセル固有の周波数オフセットシフトパターンとスロット番号からＤＭＲＳのリソース配置を決定し、ＤＭＲＳを基地局装置１００へ送信する。
【０１１８】
ここで、ＤＭＲＳ分散配置におけるサブキャリアの周波数オフセットｎＳＣｏｆｆｓｅｔは、移動局装置固有の周波数オフセットｎＵＥｏｆｆｓｅｔとセル固有の周波数オフセットシフトパターンΔｃｅｌｌｓｈｉｆｔ（Δｃｅｌｌｓｈｉｆｔ＝０，１，・・・，ｎＤＭＲＳＲＰＦ−１）とスロット番号ｎｓから、例えば、数式（５）を用いて決定することができる。
【０１１９】
【数５】
2018088712.tif 000011
【０１２０】
なお、セル固有の周波数オフセットシフトパターンΔｃｅｌｌｓｈｉｆｔは、ＲＲＣシグナリングを用いて通知されても良い。また、セル固有の周波数オフセットシフトパターンΔｃｅｌｌｓｈｉｆｔは、基地局装置１００から必ずしも通知される必要はない。すなわち、セル固有の周波数オフセットシフトパターンΔｃｅｌｌｓｈｉｆｔは、物理層セル識別子を用いて決定されても良い。また、セル固有の周波数オフセットシフトパターンΔｃｅｌｌｓｈｉｆｔは、仮想セル識別子を用いて決定されても良い。
【０１２１】
セル固有の周波数オフセットシフトパターンを用いることで、周波数オフセットのホッピングまたはシフトの可否をダイナミックに通知する必要がなくなり、その分の情報ビットをＤＣＩフォーマットに追加する必要がなくなる。
【０１２２】
ここで、移動局装置が複数の送信ポートを用いてＰＵＳＣＨおよびＰＵＳＣＨに対するＤＭＲＳを送信する場合には、移動局装置は複数の送信ポートそれぞれに対して同じサブキャリアにＰＵＳＣＨに対するＤＭＲＳを配置する。すなわち、移動局装置は、複数の送信ポートそれぞれに対して同じ周波数オフセットと同じ繰り返しファクタを設定する。
【０１２３】
なお、移動局装置は、複数の送信ポートを用いてＰＵＳＣＨおよびＰＵＳＣＨに対するＤＭＲＳを送信する場合に、移動局装置は、送信ポート間で異なるサブキャリアにＰＵＳＣＨに対するＤＭＲＳを配置しても良い。すなわち、移動局装置は、送信ポート間で周波数オフセットと繰り返しファクタの異なる組み合わせを設定しても良い。例えば、移動局装置は、送信ポート０と送信ポート１に対してＤＭＲＳを同じ第１のサブキャリアに配置し、送信ポート２と送信ポート３に対してＤＭＲＳを第１のサブキャリアとは異なる第２のサブキャリアに配置しても良い。これにより、移動局装置の複数の送信ポートから送信される複数のＤＭＲＳ間の干渉を低減することができる。
【０１２４】
（第３の実施形態）
次に、基地局装置１００と移動局装置２００を用いた通信システムにおける第３の実施形態を説明する。第３の実施形態に係る機器の概略構成について第１の実施形態と同様であるため、ここでは説明を省略する。第３の実施形態では、基地局装置１００は、ＤＭＲＳのリソース配置情報と、ＤＭＲＳ分散配置における移動局装置固有の周波数オフセットと、上りリンク復調参照信号に施されるサイクリックシフト（CS）と直交カバー符号（OCC）を示す情報（Cyclic shift for DM RS and OCC index）と、を含むＤＣＩフォーマットを移動局装置２００へ通知する。移動局装置２００は、ＤＣＩフォーマットに従って、ＤＭＲＳのリソース配置情報に分散配置が設定されている場合には、復調参照信号に施されるサイクリックシフト（CS）と直交カバー符号（OCC）を示す情報で示される送信ポート毎のＣＳとＯＣＣを用いて送信ポート毎のＤＭＲＳ分散配置の周波数オフセットホッピングパターンを決定する。
【０１２５】
例えば、移動局装置２００は、ＤＣＩフォーマットに含まれるＤＭＲＳのＣＳとＯＣＣを示す情報で示されるＣＳ値ｎ（２）ＤＭＲＳ，λと直交カバー符号［ｗ（λ）（０），ｗ（λ）（１）］（［＋１，＋１］または［＋１，−１］）を用いて、数式（６）から送信ポート毎のサブキャリアの周波数オフセットホッピングパターンを決定できる。
【０１２６】
【数６】
2018088712.tif 000012
【０１２７】
第３の実施形態では、ＤＣＩフォーマットで通知されるＤＭＲＳのＣＳとＯＣＣから送信ポート毎の周波数オフセットホッピングパターンを決定することができる。送信ポート毎に周波数オフセットホッピングパターンを通知する必要がなくなり、基地局装置１００が移動局装置２００へ通知する情報量を低減することができる。
【０１２８】
すなわち、移動局装置は、基地局装置によってＤＣＩフォーマットを使用して通知されたＤＭＲＳのＣＳとＯＣＣを示す情報に従って、ＤＭＲＳの信号系列（demodulation reference signal sequence）を生成し、生成した信号系列のＤＭＲＳを、ＤＭＲＳのＣＳとＯＣＣを示す情報に従って決定された周波数オフセットホッピングパターンで送信する。
【０１２９】
また、送信ポート毎のＤＭＲＳ分散配置の周波数オフセットホッピングパターンは、ＤＭＲＳのＣＳ値ｎＣＳ，λと対応付けられても良い。例えば、数式（７）に基づいてＤＭＲＳ分散配置の周波数オフセットホッピングパターンを決定しても良い。
【０１３０】
【数７】
2018088712.tif 000013
【０１３１】
ここで、ＤＭＲＳのＣＳ値ｎＣＳ，λは、数式（８）に基づいて決定される。
【０１３２】
【数８】
2018088712.tif 000014
【０１３３】
ここで、ｎ（１）ＤＭＲＳは、ＲＲＣシグナリングで通知されるサイクリックシフトに対応付けられたＤＭＲＳのＣＳ値である。また、ｎＰＮ（ｎｓ）は、擬似乱数系列から得られる値であり、数式（９）から決定される。
【０１３４】
【数９】
2018088712.tif 000015
【０１３５】
さらに、各無線フレームの初めに、擬似乱数系列生成器は、数式（１０）を用いて初期化される。
【０１３６】
【数１０】
2018088712.tif 000016
【０１３７】
ｆＰＵＳＣＨｓｓは、ＰＵＳＣＨに対する系列シフトパターンであり、移動局装置２００は、数式（１１）を用いて決定できる。
【０１３８】
【数１１】
2018088712.tif 000017
【０１３９】
ここで、Δｓｓは、ＲＲＣシグナリングを用いて設定が通知されるパラメータである。
ｆＰＵＣＣＨｓｓは、ＰＵＣＣＨに対する系列シフトパターンであり、移動局装置２００は、数式（１２）を用いて決定できる。
【０１４０】
【数１２】
2018088712.tif 000018
【０１４１】
この方法を用いることで、より少ない情報量で周波数オフセットパターンを決定することができる。
【０１４２】
すなわち、基地局装置は、第１の同期信号と第２の同期信号とＤＣＩフォーマットを移動局装置へ通知し、移動局装置は、第１の同期信号と第２の同期信号から物理層セル識別子を判定し、物理層セル識別子とＤＣＩフォーマットに含まれるＤＭＲＳのＣＳとＯＣＣを示す情報からＤＭＲＳの信号系列を生成し、さらに、ＤＭＲＳのＣＳとＯＣＣを示す情報に従って決定された送信ポート毎の周波数オフセットホッピングパターンで生成した信号系列のＤＭＲＳを送信する。
【０１４３】
また、基地局装置と移動局装置の接続が確立されており、複数のキャリアを用いて通信を行なうキャリアアグリゲーションが可能である場合には、移動局装置は、基地局装置によって送信が指示されたキャリアに対しては、ＲＲＣシグナリングを用いて、そのキャリアの物理層セル識別子を設定することができる。移動局装置は、ＲＲＣシグナリングで通知された物理層セル識別子とＤＭＲＳのＣＳとＯＣＣを示す情報からＤＭＲＳの信号系列を生成し、さらに、ＤＭＲＳのＣＳとＯＣＣを示す情報に従って決定された送信ポート毎の周波数オフセットホッピングパターンで生成した信号系列のＤＭＲＳを送信する。
【０１４４】
以上説明した実施形態は、基地局装置および移動局装置に搭載される集積回路／チップセットにも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１４６】
以上、この発明の実施形態について図面を参照して詳述してきたが、具体的な構成はこの実施形態に限られるものではなく、この発明の要旨を逸脱しない範囲の設計等も特許請求の範囲に含まれる。
【０１４７】
本発明は、基地局装置や移動局装置や通信システムや通信方法に用いて好適である。
【符号の説明】
【０１４８】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2018088712.tif 000019
【図２】
2018088712.tif 000020
【図３】
2018088712.tif 000021
【図４】
2018088712.tif 000022
【図５】
2018088712.tif 000023
【図６】
2018088712.tif 000024
【図７】
2018088712.tif 000025
【図８】
2018088712.tif 000026